(57)【要約】【課題】  給油装置とＰＯＳ本体とを接続する通信線の数を減少させることができ、かつ、給油装置の構成を簡素化し得る給油システムを提供する。【解決手段】  給油機器の動作を制御する給油制御部３と、給油装置１i ごとに設けられ、燃料油の購入情報ａを入力するための機器を制御する複数台のＰＯＳ外設機２と、ＰＯＳ外設機２からの購入情報ａ、ならびに、給油制御部３からの給油情報を入力として、給油所の売上および在庫を管理するＰＯＳ本体９とを備える。ＰＯＳ本体９および複数台のＰＯＳ外設機２の間はＬＡＮで接続され、各ＰＯＳ外設機２と給油制御部３とは、各給油装置１i ごとに互いに通信線７で接続されている。ＰＯＳ外設機２は、流量発信器１８からの流量信号ｄに基づき、非防爆型のタッチパネル２３に、燃料油の単価と、流量信号ｄによって定まるリアルタイムの給油量と、前記単価および給油量により定まる金額とをリアルタイムに表示する。【選択図】    図４
2005047532.tif 000002
【特許請求の範囲】
【請求項１】
流量発信器およびノズルスイッチを備えた複数台の給油装置を設置した給油所システムであって、
前記給油装置の電磁弁および／またはポンプモータの動作を制御する給油制御部と、
各給油装置ごとに設けられ、燃料油の購入情報を入力するための機器を制御する複数台のＰＯＳ外設機と、
前記ＰＯＳ外設機からの購入情報、ならびに、給油制御部からの給油情報を入力として、給油所の売上および在庫を管理するためのＰＯＳ本体とを備え、
前記ＰＯＳ本体および複数台のＰＯＳ外設機の間がＬＡＮで接続され、
前記各ＰＯＳ外設機と給油制御部とが、各給油装置ごとに互いに通信線で接続され、
前記モータが回転して燃料油の吐出を許可する給油許可信号を、前記ＰＯＳ本体から前記ＰＯＳ外設機を介して前記給油制御部に出力し、
前記流量発信器からの流量信号を前記給油制御部から前記ＰＯＳ外設機に出力し、
給油が完了したときに出力される給油終了信号を、前記ＰＯＳ外設機から前記ＰＯＳ本体に出力し、
前記ＰＯＳ外設機の非防爆型の表示器に、少なくとも、前記流量信号によって定まるリアルタイムの給油量をリアルタイムに表示することで、前記給油装置の防爆型の給油量等の表示器を廃止した給油所システム。
【請求項２】
流量発信器およびノズルスイッチを備えた複数台の給油装置を設置した給油所システムであって、
前記給油装置の電磁弁および／またはポンプモータの動作を制御すると共に、燃料油の購入情報を入力するための機器を制御する複数台のＰＯＳ外設機と、
前記ＰＯＳ外設機からの購入情報および給油情報を入力として、給油所の売上および在庫を管理するためのＰＯＳ本体とを備え、
前記ＰＯＳ本体および複数台のＰＯＳ外設機の間がＬＡＮで接続され、
前記モータが回転して燃料油の吐出を許可する給油許可信号を、前記ＰＯＳ本体から前記ＰＯＳ外設機に出力し、
前記流量発信器からの流量信号が前記ＰＯＳ外設機に出力され、
給油が完了したときに出力される給油終了信号を、前記ＰＯＳ外設機から前記ＰＯＳ本体に出力し、
前記ＰＯＳ外設機の非防爆型の表示器に、少なくとも、前記流量信号によって定まるリアルタイムの給油量をリアルタイムに表示することで、前記給油装置の防爆型の給油量等の表示器を廃止した給油所システム。
【請求項３】
請求項１もしくは２において、
前記給油装置の片面当りのノズルの数が１個または２個である給油所システム。
【請求項４】
請求項１、２もしくは３において、
前記ＰＯＳ外設機は、前記給油装置におけるノズルを掛けるノズルハンガの位置よりも上方の位置に設けた非防爆領域に設けられている給油所システム。
【発明の詳細な説明】
【技術分野】
【０００１】
本発明は、給油所システムに関するものである。
【背景技術】
【０００２】
近年、規制緩和により、給油装置に非防爆領域を設け、この非防爆領域内に非防爆型の各種電気機器を収納した給油装置が知られている（たとえば、特許文献１，２参照）。
【０００３】
【特許文献１】特開２００２−２４９１９８号（図１、第３頁）
【特許文献２】特開２００２−２５５２９４号（図１、第２−３頁）
【発明の開示】
【発明が解決しようとする課題】
【０００４】
しかし、従来の給油装置では、給油量等を表示する表示器と、客が購入情報を入力するための機器が別々に設けられていたため、給油装置の構成が煩雑になっていた。
また、購入情報を入力するための機器を制御するＰＯＳ外設機を給油装置に設けた場合には、該ＰＯＳ外設機と給油装置の給油制御部とが、それぞれ、通信方式の異なる別のＬＡＮによりＰＯＳ本体に接続されていたため、通信線の数が多くなり、現場（給油所）での配線工事が大がかりになる問題があった。
【０００５】
したがって、本発明の目的は、給油装置とＰＯＳ本体とを接続する通信線の数を減少させることができ、かつ、給油装置の構成を簡素化し得る給油システムを提供することである。
【課題を解決するための手段】
【０００６】
前記目的を達成するために、本第１発明は、流量発信器およびノズルスイッチを備えた複数台の給油装置を設置した給油所システムであって、前記給油装置の電磁弁および／またはポンプモータの動作を制御する給油制御部と、各給油装置ごとに設けられ、燃料油の購入情報を入力するための機器を制御する複数台のＰＯＳ外設機と、前記ＰＯＳ外設機からの購入情報、ならびに、給油制御部からの給油情報を入力として、給油所の売上および在庫を管理するためのＰＯＳ本体とを備え、前記ＰＯＳ本体および複数台のＰＯＳ外設機の間がＬＡＮで接続され、前記各ＰＯＳ外設機と給油制御部とが、各給油装置ごとに互いに通信線で接続され、前記モータが回転して燃料油の吐出を許可する給油許可信号を、前記ＰＯＳ本体から前記ＰＯＳ外設機を介して前記給油制御部に出力し、前記流量発信器からの流量信号を前記給油制御部から前記ＰＯＳ外設機に出力し、給油が完了したときに出力される給油終了信号を、前記ＰＯＳ外設機から前記ＰＯＳ本体に出力し、前記ＰＯＳ外設機の非防爆型の表示器に、少なくとも、前記流量信号によって定まるリアルタイムの給油量をリアルタイムに表示することで、前記給油装置の防爆型の給油量等の表示器を廃止している。
【０００７】
本第１発明においては、ＰＯＳ外設機と給油制御部とが給油装置の内部で通信線により接続され、ＰＯＳ外設機とＰＯＳ本体とがＬＡＮで接続されている。給油制御部からの信号はＰＯＳ外設機を介してＰＯＳ本体に出力されるから、給油制御部とＰＯＳ本体との間を接続する通信線が不要となる。
また、流量発信器からの流量信号が前記給油制御部から前記ＰＯＳ外設機に出力され、ＰＯＳ外設機は、前記流量信号に基づいて給油量や給油金額を算出する。算出された給油量等の情報は、前記ＰＯＳ外設機の非防爆型の表示器にリアルタイムで表示されるようにしたので、ＰＯＳ外設機とは別の防爆型の給油量等の表示器が不要となる。
【０００８】
一方、本第２発明においては、流量発信器およびノズルスイッチを備えた複数台の給油装置を設置した給油所システムであって、前記給油装置の電磁弁および／またはポンプモータの動作を制御すると共に、燃料油の購入情報を入力するための機器を制御する複数台のＰＯＳ外設機と、前記ＰＯＳ外設機からの購入情報および給油情報を入力として、給油所の売上および在庫を管理するためのＰＯＳ本体とを備え、前記ＰＯＳ本体および複数台のＰＯＳ外設機の間がＬＡＮで接続され、前記モータが回転して燃料油の吐出を許可する給油許可信号を、前記ＰＯＳ本体から前記ＰＯＳ外設機に出力し、前記流量発信器からの流量信号が前記ＰＯＳ外設機に出力され、給油が完了したときに出力される給油終了信号を、前記ＰＯＳ外設機から前記ＰＯＳ本体に出力し、前記ＰＯＳ外設機の非防爆型の表示器に、少なくとも、前記流量信号によって定まるリアルタイムの給油量をリアルタイムに表示することで、前記給油装置の防爆型の給油量等の表示器を廃止している。
【０００９】
本第２発明においては、前記ＰＯＳ外設機は、購入情報を入力するための機器を制御すると共に、各給油装置ごとに設けた電磁弁および／またはポンプモータの動作を制御する。そのため、前記ＰＯＳ外設機が前記給油制御部としての役割も果たすから、給油装置の給油制御部を廃止することができ、給油装置の構成を更に簡素化できる。
【発明の効果】
【００１０】
本第１発明によれば、ＰＯＳ外設機を介して給油制御部をＰＯＳ本体に接続しているので、給油装置とＰＯＳ本体との間に設けられる通信線の数を減らすことができる。しかも、ＰＯＳ外設機の非防爆型の表示器に給油量等の情報をリアルタイムに表示するようにしたので、防爆型の給油量等の表示器を廃止することができる。したがって、給油装置の構成が簡単になりコストダウンが図れる。
【００１１】
一方、本第２発明によれば、ＰＯＳ外設機が購入情報を入力するための機器を制御するだけでなく、電磁弁やポンプモータの動作の制御も行うようにしたから、給油装置の給油制御部を不要とすることができ、給油装置の構成を更に簡素化できる。
【発明を実施するための最良の形態】
【００１２】
以下、本発明の実施例を図面にしたがって説明する。
【実施例１】
【００１３】
図１〜図７は、実施例１を示す。
図１に示すように、本給油システムは、給油所の屋外に設置された複数台の計量ユニット（給油装置）１1 …１n と、事務所内に設けられたＰＯＳ本体９とを備えている。各計量ユニット１i とＰＯＳ本体９とは通信ケーブル８により接続され、ＬＡＮ（Local Area Network）が形成されている。
【００１４】
計量ユニット
まず、計量ユニット１i について説明する。
各計量ユニット１i は、図２に示すように、防爆領域である下部ケース１１、ならびに、非防爆領域である上部ケース１２を備えている。前記下部ケース１１内には、図３に示すように、ポンプモータ１４、電磁弁１６および流量発信器１８などが収納されている。一方、上部ケース１２内には複数台のＰＯＳ外設機２および給油制御部３が収納されている。前記下部ケース１１と上部ケース１２との間は、隔壁１５により区分けされており、下部ケース１１で発生したベーパーが上部ケース１２に侵入しないように遮蔽されている。
【００１５】
図２に示すように、前記下部ケース１１の正面には、複数のノズル１０が設けられている。前記各ノズル１０には、それぞれ、レギュラー、ハイオク、軽油といった油種の異なる燃料油が、地下タンク（図示せず）から供給される。前記各ノズル１０はノズルハンガ１３に掛けられている。前記ノズル１０が掛けられているノズルハンガ１３よりも上方の位置に設けられている前記上部ケース１２（非防爆領域）の正面には前記ＰＯＳ外設機２の操作面２ａが配置されている。
なお、図２では、前記計量ユニット１i の正面側のみ図示しているが、前記ノズル１０および操作面２ａは、前記計量ユニット１i の背面側にも同様に設けられている。
【００１６】
給油機器
図３に示すように、前記ノズル１０に燃料油を供給する給油経路５には、前記下部ケース１１内において、ポンプモータ１４、電磁弁１６および流量計Ｆ／Ｍが介挿されている。また、下部ケース１１には、前記ノズル１０の数に対応したノズルスイッチ１９が設けられている。各ノズルスイッチ１９は、ノズル１０が計量ユニット１i のノズルハンガ１３（図２）に掛けられているか否かを検出するものである。前記ノズル１０には、図示しない手動弁が設けられており、該ノズル１０から吐出される燃料油の供給量は、流量計Ｆ／Ｍに接続した流量発信器１８によって検出される。
なお、説明の便宜上、図３では、計量ユニット１i ごとに複数設けられている給油経路５のうち１つの給油経路５だけを図示している。
【００１７】
給油制御部
図４に示す給油制御部３は、前記ポンプモータ１４や電磁弁１６等の給油機器の動作を制御するもので、ＣＰＵ３１およびメモリ３２を備えている。該メモリ３２のＲＯＭには前記給油機器を制御するための所定のプログラム等が記憶されており、前記ＣＰＵ３１は、該プログラム等を読み出して前記給油機器の制御を行う。前記ＣＰＵ３１は、前記ノズルスイッチ１９のＯＮ・ＯＦＦ情報ｃ（給油情報）、流量発信器１８からの流量信号ｄ（給油情報）を、前記メモリ３２のＲＡＭに記憶させると共に、これらの給油情報ｃ，ｄを前記ＰＯＳ外設機２に出力する。なお、ＯＮ・ＯＦＦ情報ｃや流量信号ｄ以外に、計量ユニット１i のＮｏ．、油種（ノズル１０のＮｏ．）などの情報も給油情報として給油制御部３から出力してもよい。また、前記給油制御部３は、給油が完了したときに、給油終了信号ｆをＰＯＳ外設機２に出力する。前記給油制御部３と前記ＰＯＳ外設機２とは、上部ケース１２の内部において、各計量ユニット１i ごとに互いに通信線７で接続されている。
【００１８】
ＰＯＳ外設機
図３に示す複数台のＰＯＳ外設機２は、それぞれ、燃料油の購入情報ａを入力するための設定入力機器を制御するためのもので、計量ユニット１i の正面側と背面側とに１台ずつ設けられている。図４に示すように、前記各ＰＯＳ外設機２は、マイコン２０、タッチパネル（非防爆型の表示器）２３、プリンタ２４、検知センサ２５、プリペイドカードリーダ２６、クレジットカードリーダ２７、紙幣識別機２８およびスピーカー２９などを備えている。前記タッチパネル２３は、たとえば、液晶表示装置のようなディスプレイ画面に種々の情報やガイダンスを表示すると共に、該表示を指で直接触れることによって入力を行う装置である。前記検知センサ２５は、給油客や車両の存在を感知するためのもので、該検知センサ２５により給油客等を感知すると、前記タッチパネル２３が起動される。
【００１９】
前記マイコン２０はＣＰＵ２１およびメモリ２２を備えている。該メモリ２２のＲＯＭには所定のプログラム等が記憶されており、前記ＣＰＵ２１は、該プログラム等を読み出して前記設定入力機器の制御を行う。一方、前記メモリ２２のＲＡＭにはタッチパネル２３の表示内容等や前記給油制御部３からの給油情報が記憶される。前記ＣＰＵ２１は、流量信号ｄに基づいて、給油量や給油金額を算出して前記タッチパネル２３に表示させる。前記ＣＰＵ２１は、給油が完了したときに、前記給油制御部３から出力された給油終了信号ｆを前記メモリ２２に記憶させると共に、該給油終了信号ｆをＰＯＳ本体９に出力する。
【００２０】
ＰＯＳ本体
前記ＰＯＳ本体９は、小売業の総合運営システム（ＰＯＳシステム）の端末で、前記複数台のＰＯＳ外設機２の各々と、ＬＡＮ（通信ケーブル８）により接続されている。前記ＰＯＳ本体９は、前記ＰＯＳ外設機２からの購入情報ａ、ならびに、前記給油制御部３から前記ＰＯＳ外設機２を介して送信されてきた給油情報を入力として、燃料油の売上および在庫等の各種情報を管理する。前記ＰＯＳ本体９は、前記ＰＯＳ外設機２から購入情報ａが入力されると、前記ポンプモータ１４が回転して前記ノズル１０から燃料油を吐出することを許可する給油許可信号ｂを出力する。該給油許可信号ｂは、前記ＰＯＳ外設機２を介して、前記給油制御部３に送信される。
なお、複数の給油所を所有している会社の場合には、各給油所に設置されたＰＯＳ本体９からの管理情報を本部のコンピュータに集約して管理できるように、更に広域のネットワークを構築してもよい。こうしたＰＯＳシステムとしては、特開平６−２５５６９９号公報に開示されたシステムを採用することができる。
【００２１】
つぎに、本給油所システムの運用について説明する。
まず、ＰＯＳ外設機２の検知センサ２５が給油客を感知すると、タッチパネル２３には、図５（ａ）のように、計量ユニット１i の前回の給油データ６１および給油ガイダンス６２が表示される。この際、タッチパネル２３の表示の他に、図２のスピーカー２９から「いらっしゃいませ」といった内容の音声ガイダンスが報知されるようにしてもよい。また、以下の入力作業の間の節目となる時点で、タッチパネル２３の表示と併せて所定の音声ガイダンスを行うようにしてもよい。
【００２２】
つぎに、給油客は、給油ガイダンス６２に表示された支払方法６３の内から所望の支払方法を選択する。たとえば、“現金”に触れた場合には、図５（ｂ）のように、給油ガイダンス６２に“現金を入れてください”と表示され、紙幣識別機２８（図２）に紙幣を投入するように促される。クレジットカードかプリペイドカードによる支払いを選択した場合には、これらのカードの記憶内容がカードリーダ２６，２７（図２）で読み出された後、ＰＯＳ外設機２からＰＯＳ本体９に送信され、カードの記憶内容が照会（確認）される。
【００２３】
支払方法に問題が無ければ（投入された紙幣またはカードに問題が無ければ）、図５（ｃ）のように、油種の選択キー６４および各油種ごとの燃料油の単価が給油ガイダンス６２に表示される。油種の選択が終了すると、図６（ａ）に示すプリセットキー６５が表示され、給油量または給油金額を設定することができる。以上の手順で、支払方法、油種および給油量の設定が全て完了すると、図６（ｂ）に示すように、設定内容を確認する確認画面が表示される。
【００２４】
ここで、キャンセルキー６６ｂに触れると、タッチパネル２３の表示が図５（ａ）の表示に戻り、設定をやり直すことができる。一方、確認キー６６ａに触れると、ＰＯＳ外設機２は、設定された購入情報ａを給油制御部３およびＰＯＳ本体９に出力する。ＰＯＳ本体９は、前記購入情報ａに対応する給油許可信号ｂを、ＰＯＳ外設機２を介して給油制御部３に出力する。給油制御部３は、前記購入情報ａおよび給油許可信号ｂを受けて、対応するノズル１０から燃料油を吐出可能な待機状態に設定される。
【００２５】
ついで、給油客が当該計量ユニット１i のノズル１０をノズルハンガ１３から取り外し、ノズルスイッチ１９がＯＮになると、前記給油制御部３は、ポンプモータ１４を起動させると共に電磁弁１６を開いて、ノズル１０から給油できるように制御する。また、給油制御部３からＰＯＳ外設機２にノズルスイッチ１９のＯＮ・ＯＦＦ情報ｃが出力され、図６（ｃ）に示すように、タッチパネル２３の給油データ６１がゼロリセットされる。
【００２６】
さらに、ノズル１０の手動のノズルレバーを操作して、実際に給油が開始されると、流量発信器１８からの流量信号ｄが給油制御部３からＰＯＳ外設機２に出力される。ＰＯＳ外設機２は流量信号ｄに基づいて給油量および給油金額（燃料油の単価および給油量により定まる金額）を算出して、図７（ａ）のように、前記タッチパネル２３にリアルタイムの給油量および給油金額を表示させる。
【００２７】
その後、たとえば、プリセット値または満タンになって給油が完了し、ノズル１０をノズルハンガ１３に戻すと、ノズルスイッチ１９がＯＦＦになり、ポンプモータ１４が停止して給油制御部３から給油終了信号ｆが出力される。この給油終了信号ｆに基づいて、タッチパネル２３が、図７（ｂ）のように、“給油完了しました”と表示する。ＰＯＳ外設機２は、ＰＯＳ本体９に前記給油終了信号ｆを出力すると共に、前記給油金額を清算して釣銭を払い戻したり、カードの記憶内容を更新し、図２のプリンタ２４から伝票を発行する。その後、伝票またはカードを取ると、図７（ｃ）に示すように、タッチパネル２３に“ありがとうございました”と一定時間表示される。一定時間経過後は、再び図５（ａ）に示す画面に戻るか、あるいは、タッチパネル２３の電源がＯＦＦになる。
【００２８】
ＰＯＳ本体９は、前記給油終了信号ｆを受け取ると、前記購入情報ａおよび給油情報に基づいて燃料油の売上や在庫に関するデータを記憶し、蓄積されている給油所の管理データを更新する。
【実施例２】
【００２９】
つぎに、実施例２について説明する。以下の説明では、主に、実施例１とは異なる部分の構成について説明する。
【００３０】
図８に示す実施例２では、ＰＯＳ外設機２は、燃料油の購入情報ａを入力するための機器を制御するだけでなく、ポンプモータ１４および電磁弁１６の動作も制御する。すなわち、前記実施例１における給油制御部３（図４）を廃止して、ＰＯＳ外設機２が前記給油制御部３の代わりに給油機器の制御を行うように構成されている。
【００３１】
ノズルスイッチ１９のＯＮ・ＯＦＦ情報ｃ（給油情報）および流量発信器１８からの流量信号ｄ（給油情報）は、ＰＯＳ外設機２に直接出力され、ＰＯＳ外設機２は、購入情報ａおよび給油情報ｃ，ｄをＰＯＳ本体９に出力する。このように、ＰＯＳ外設機２が前記ポンプモータ１４および電磁弁１６の動作を制御すると共に、燃料油の購入情報ａを入力するための機器を制御するように構成することで、防爆型の表示器を廃止するだけでなく、給油制御部も廃止することができるから、計量ユニット１i の構成を更に簡素化できる。
その他の構成は、実施例１と同様であり、同一部分または相当部分に同一符号を付して、その詳しい説明および図示を省略する。
【００３２】
ところで、本給油所システムでは、計量ユニット１i に従来設けていた防爆型の表示器を廃止したので、該表示器を設けていたスペースが不要となる。図２に示すように、前記実施例１では、１台の計量ユニットの両面に各々３つのノズル１０を設けていたため、計量ユニット１i の幅方向の大きさは変わらなかった。しかし、たとえば図９のように、計量ユニット１i の片面当たりのノズル１０の数を２個または１個にすれば、ＰＯＳ外設機２の大きさに合わせて不要なスペースを詰めることができ、計量ユニット１i の幅方向の大きさを小さくすることができる。したがって、計量ユニット１台当たりが占める面積が小さくなり、給油所内におけるスペースセービングを実現できる。
【００３３】
以上のとおり、図面を参照しながら好適な実施例を説明したが、当業者であれば、本明細書を見て、自明な範囲で種々の変更および修正を容易に想定するであろう。
たとえば、電磁弁およびポンプモータの双方を、必ずしも計量ユニットに設ける必要はなく、複数台の計量ユニットに共通の地下ポンプを設け、電磁弁のみを計量ユニット内に設けて給油制御を行うようにしてもよい。
また、タッチパネルの表示は前述した表示例に限定されず、表示内容のレイアウトや順序などは適宜変更し得る。更に、前記タッチパネルに代えて、表示器と入力設定機器を別々に設けてもよい。
したがって、そのような変更および修正は、請求の範囲から定まる本発明の範囲内のものと解釈される。
【産業上の利用可能性】
【００３４】
本発明はＰＯＳシステムを備えた給油所システムに用いることができる。
【図面の簡単な説明】
【００３５】
【図１】本発明の実施例１を示すＰＯＳ本体と計量ユニットとの配置関係を示す平面図である。
【図２】計量ユニットを示す正面図である。
【図３】計量ユニット内の給油経路等を示す概略構成図である。
【図４】本給油所システムを示す概略構成図である。
【図５】タッチパネルの表示例を示す概略正面図である。
【図６】タッチパネルの表示例を示す概略正面図である。
【図７】タッチパネルの表示例を示す概略正面図である。
【図８】本発明の実施例２を示す給油所システムの概略構成図である。
【図９】計量ユニットの変形例を示す正面図である。
【符号の説明】
【００３６】
１1 〜１n ：計量ユニット（給油装置）
１０：ノズル
１２：上部ケース（非防爆領域）
１３：ノズルハンガ
１４：ポンプモータ
１６：電磁弁
１８：流量発信器
１９：ノズルスイッチ
２：ＰＯＳ外設機
２３：タッチパネル（非防爆型の表示器）
３：給油制御部
７：通信線
８：通信ケーブル（ＬＡＮ）
９：ＰＯＳ本体
ａ：購入情報
ｂ：給油許可信号
ｄ：流量信号（給油情報）
ｆ：給油終了信号
【図１】
2005047532.tif 000003
【図２】
2005047532.tif 000004
【図３】
2005047532.tif 000005
【図４】
2005047532.tif 000006
【図５】
2005047532.tif 000007
【図６】
2005047532.tif 000008
【図７】
2005047532.tif 000009
【図８】
2005047532.tif 000010
【図９】
2005047532.tif 000011